(57)【要約】【課題】色再現範囲を広くした反射型カラー表示素子、および良好な色表示が行えるカラー表示装置の実現。【解決手段】マトリクス状に配置された複数の画素を有し、各画素は、光反射状態を制御可能で、３つの異なる色相を呈する第１色相要素10B、第２色相要素10Gおよび第３色相要素10Rを備え、第１色相要素、第２色相要素および第３色相要素の反射スペクトルは、一部が重なり、第１色相要素、第２色相要素および第３色相要素は、主反射波長が、第１色相要素＜第２色相要素＜第３色相要素の関係を有し、反射スペクトルの半値幅が、第２色相要素≦第１色相要素＜第３色相要素の関係を有する反射型カラー表示素子。【選択図】図９
2012063528.tif 000002
【特許請求の範囲】
【請求項１】
マトリクス状に配置された複数の画素を備え、
各画素は、光反射状態を制御可能で、３つの異なる色相を呈する第１色相要素、第２色相要素および第３色相要素を備え、
前記第１色相要素、前記第２色相要素および前記第３色相要素の反射スペクトルは、一部が重なり、
前記第１色相要素、前記第２色相要素および前記第３色相要素は、
主反射波長が、第１色相要素＜第２色相要素＜第３色相要素の関係を有し、
反射スペクトルの半値幅が、第２色相要素≦第１色相要素＜第３色相要素の関係を有することを特徴とする反射型カラー表示素子。
【請求項２】
前記第１色相要素が呈する主反射波長は、標準ＲＧＢの青色の主波長よりも短波長であり、
前記第２色相要素が呈する主反射波長は、標準ＲＧＢの緑色の主波長よりも短波長である請求項１記載の反射型カラー表示素子。
【請求項３】
前記第１色相要素が呈する色は、紫みの青色もしくは青みの紫色の色領域内にあり、
前記第２色相要素が呈する色は、緑色もしくは黄みの緑色の色領域内にある請求項２記載の反射型カラー表示素子。
【請求項４】
前記第３色相要素が呈する色は、赤色から黄赤色の範囲内にある請求項２記載の反射型カラー表示素子。
【請求項５】
積層した３枚のパネルを備え、
前記３枚のパネルは、前記第１色相要素、前記第２色相要素および前記第３色相要素をそれぞれ別々に有する請求項１から４のいずれか記載の反射型カラー表示素子。
【請求項６】
各画素は、コレステリック液晶を備える請求項１から５のいずれか記載の反射型カラー表示素子。
【請求項７】
前記画素を形成する液晶層は、セルギャップが３μｍ以上、液晶材料のΔｎは０．１８〜０．２５の範囲にあり、前記第２色相要素および前記第３色相要素のΔｎはそれぞれ他方の±１０％以内の範囲であり、前記第１色相要素のΔｎは、前記第２色相要素または前記第３色相要素のΔｎの１１０〜１３０％の範囲である請求項６記載の反射型カラー表示素子。
【請求項８】
前記第１色相要素は、主反射波長が４３０〜４６０ｎｍの範囲で、半値幅が７５〜１１５ｎｍの範囲であり、
前記第２色相要素は、主反射波長が５１０〜５４０ｎｍの範囲で、半値幅が７５〜１１５ｎｍの範囲であり、
前記第３色相要素は、主反射波長が６００〜６３０ｎｍの範囲で、半値幅が９５〜１３５ｎｍの範囲である請求項１から７のいずれか記載の反射型カラー表示素子。
【請求項９】
前記３枚のパネルは、観察面側から、前記第１色相要素を有するパネル、前記第２色相要素を有するパネルおよび前記第３色相要素を有するパネルの順に積層され、
前記第１色相要素を有するパネルと前記第２色相要素を有するパネルの間に設けられた青カットフィルタと、
前記第２色相要素を有するパネルと前記第３色相要素を有するパネルの間に設けられた緑カットフィルタと、を備える請求項１から８のいずれか記載の反射型カラー表示素子。
【請求項１０】
請求項１から９のいずれか記載の反射型カラー表示素子を備えるカラー表示装置。
【発明の詳細な説明】
【技術分野】
【０００１】
本発明は、反射型カラー表示素子およびカラー表示装置に関する。
【背景技術】
【０００２】
近年、各企業・大学で電子ペーパーの開発が盛んに進められている。電子ペーパーが期待されている応用市場として、電子書籍を筆頭として、モバイル端末のサブディスプレイやＩＣカードの表示部など、多用な応用携帯が提案されている。
【０００３】
電子ペーパーの有力な方式の１つに、コレステリック液晶がある。コレステリック液晶は、半永久的な表示保持（メモリ性）や鮮やかなカラー表示、高コントラスト、高解像性といった優れた特徴を有する。
【０００４】
電子ペーパーなどに用いられているコレステリック液晶は、電気泳動型など他方式の電子ペーパーと比べて色再現範囲が広いものの、バックライト型のＬＣＤなどに比べると色再現性は十分でなかった。言い換えれば、良好な色表示を行える範囲もあるが、十分な色表示が行えない範囲が存在し、特に、肌色や緑色などの表示が不十分であった。
【先行技術文献】
【特許文献】
【０００５】
【特許文献１】特開平１１−０６４８９５号公報
【特許文献２】ＷＯ２００７／００４２８０号
【特許文献３】特開２００８−２９２６３２号公報
【発明の概要】
【発明が解決しようとする課題】
【０００６】
色表示が不十分である原因の１つは、反射スペクトルの特性にあった。これまでの代表例のコレステリック液晶素子の反射スペクトルは、少しでも明るさを上げるため、標準ＲＧＢに比べて、緑色(Green:G)層の反射中心波長は、視感度がピークを示す５５５ｎｍ（黄緑）付近に配していた。また、青色(Blue:B)層および赤色(Red:R)層の反射中心波長は、緑色層の波長に近づけて、グレーバランスを保っていた。そのため、ある程の明るさが得られる一方で、３色が緑色に偏っているため、色再現範囲が狭かった。
【０００７】
また、通常、液晶組成物には同一の原材料（ネマティック液晶やカイラル材）を用いるため、λ＝ｎ・ｐ（ｎ：液晶の平均屈折率、ｐ：らせんピッチ）の関係から、半値幅（△λ）は、△λ＝△ｎ・ｐとなり、赤色＞緑色＞青色の大小関係が一般的だった。なお、半値幅△λは、反射率がピークの１／２になる波長幅である。しかしながら、この半値幅がこのような関係を有する場合、青色の彩度が高すぎ、一方で赤色の彩度が低くなりすぎる傾向があり、ＲＧＢのカラーバランスを好適に保てなかった。
【０００８】
実施形態によれば、色再現範囲の広い反射型カラー表示素子およびカラー表示装置が実現される。
【課題を解決するための手段】
【０００９】
発明の観点によれば、マトリクス状に配置された複数の画素を備え、各画素は、光反射状態を制御可能で、３つの異なる色相を呈する第１色相要素、第２色相要素および第３色相要素を備え、第１色相要素、第２色相要素および第３色相要素の反射スペクトルは、一部が重なり、第１色相要素、第２色相要素および第３色相要素は、主反射波長が、第１色相要素＜第２色相要素＜第３色相要素の関係を有し、半値幅が、第２色相要素≦第１色相要素＜第３色相要素の関係を有する反射型カラー表示素子が提供される。
【発明の効果】
【００１０】
実施形態によれば、反射型カラー表示素子の色再現範囲を広くして、良好な色表示が行えるカラー表示装置が実現される。
【図面の簡単な説明】
【００１１】
【図１】図１は、コレステリック液晶の状態を説明する図である。
【図２】図２は、コレステリック液晶表示素子で、初期状態をプレーナ状態とした場合に、さまざまな周期のパルスに対する電圧応答特性の例を示す図である。
【図３】図３は、３層積層構造の反射型カラー表示素子の断面図である。
【図４】図４は、反射型カラー表示素子の各層のプレーナ状態の反射スペクトルを示す図である。
【図５】図５は、波長スペクトルと色名の関係を示す図である。
【図６】図６は、実施形態において、青色層および緑色層の反射色をｓＲＧＢよりも短波長化すると共に、緑色層の反射スペクトルの半値幅を最小にした効果を、マックアダム(McAdam)の識別域（楕円）で説明する図である。
【図７】図７は、コレステリック液晶を利用した代表例の反射型カラー表示素子の反射スペクトルを示す図である。
【図８】図８は、コレステリック液晶を利用した代表例の反射型カラー表示素子のＣＩＥＬＡＢ色空間での色体積を示す図である。
【図９】図９は、コレステリック液晶を利用した実施形態の反射型カラー表示素子の反射スペクトルを示す図である。
【図１０】図１０は、コレステリック液晶を利用した実施形態の反射型カラー表示素子のＣＩＥＬＡＢ色空間での色体積を示す図である。
【図１１】図１１は、表示素子における積層順、カットフィルタの有/無、および観察する環境条件が屋外であるか室内であるかのパラメータを変化させた時の、色体積が極大となる各層の主波長および半値幅の最適値を求めた結果を示す図である。
【図１２】図１２は、ｘｙ色度図上でのこれまでの代表例の表示素子と実施形態の表示素子の色再現範囲の比較を示す図である。
【図１３】図１３は、コレステリック液晶を利用した実施形態の単純マトリクス型の反射型カラー表示素子の構成を示す図である。
【図１４】図１４は、１枚のパネルの基本構成を示す図である。
【図１５】図１５は、液晶層に充填される液晶組成物中のカイラル材の添加量と液晶層の反射中心波長の関係を示す図である
【図１６】図１６は、屈折率異方性（△ｎ）と反射スペクトルの半値幅の関係を示す図である。
【図１７】図１７は、ＲＧＢ画素の並置構造を有する表示素子の上面図および断面図である。
【図１８】図１８は、実施形態の反射型カラー表示素子を用いた表示装置の概略構成を示す図である。
【発明を実施するための形態】
【００１２】
本発明の実施形態を説明する前に、コレステリック液晶を利用した表示素子の動作原理について説明する。
【００１３】
コレステリック液晶は、カイラルネマティック液晶とも称されることがあり、ネマティック液晶にキラル性の添加剤（カイラル材とも称される）を比較的多く（数十％）添加することにより、ネマティック液晶の分子がらせん状のコレステリック相を形成する液晶である。コレステリック液晶を利用した表示素子は、液晶分子の配向状態で表示の制御を行う。
【００１４】
図１は、コレステリック液晶の状態を説明する図である。図１の（Ａ）および（Ｂ）に示すように、コレステリック液晶を利用した表示素子１０は、上側基板１１と、コレステリック液晶層１２と、下側基板１３と、有する。コレステリック液晶には、図１の（Ａ）に示すように入射光を反射するプレーナ状態と、図１の（Ｂ）に示すように入射光を反射するフォーカルコニック状態と、があり、これらの状態は、無電界下でも安定してその状態が保持される。
【００１５】
プレーナ状態の時には、液晶分子のらせんピッチに応じた波長の光を反射する。反射が最大となる波長λは、液晶の平均屈折率ｎ、らせんピッチｐから次の式で表される。
【００１６】
λ＝ｎ・ｐ
一方、反射帯域△λは、液晶の屈折率異方性△ｎに伴って大きくなる。
【００１７】
プレーナ状態の時には、入射光が反射するので「明」状態、すなわち白を表示することができる。一方、フォーカルコニック状態の時には、下側基板１３の下に光吸収層を設けることにより、液晶層を透過した光が吸収されるので「暗」状態、すなわち黒を表示することができる。
【００１８】
次に、コレステリック液晶を利用した表示素子の駆動原理を説明する。
【００１９】
液晶に強い電界を与えると、液晶分子のらせん構造は完全にほどけ、全ての分子が電界の向きにしたがうホメオトロピック状態になる。次に、ホメオトロピック状態から急激に電界をゼロにすると、液晶のらせん軸は電極に垂直になり、らせんピッチに応じた光を選択的に反射するプレーナ状態になる。一方、液晶分子のらせん構造が解けない程度の弱い電界の形成後の電界除去、あるいは強い電界をかけ緩やかに電界を除去した場合は、液晶のらせん軸は電極に平行になり、入射光を透過するフォーカルコニック状態になる。また、中間的な強さの電界を与え、急激に除去すると、プレーナ状態とフォーカルコニック状態が混在し、中間調の表示が可能となる。この現象を利用して情報の表示を行う。
【００２０】
コレステリック液晶を利用した表示素子に画像を表示する場合に用いられる駆動方法には、多くの方法が提案されているが、「コンベンショナル駆動方法」と「ダイナミック駆動方法」の２つに大別できる。ダイナミック駆動方法は、上記の「ホメオトロピック状態」、「プレーナ状態」および「フォーカルコニック状態」に加えて、トランジェントプレーナ状態を用いる。ダイナミック駆動方法は、表示を比較的高速で書換えることができるが、精密な階調制御が難しいという問題があった。これに対して、コンベンショナル駆動方法は、精密な階調制御による高画質表示が可能であるが、表示の書換えに長時間を要するという問題があった。ここでは、コレステリック液晶を利用した表示素子をコンベンショナル駆動方法で駆動する場合を例として説明する。
【００２１】
コンベンショナル駆動方法では、全画素に高電圧を印加してホメオトロピック状態にした後、電界を解除して、全画素をプレーナ状態またはフォーカルコニック状態にするリセット動作を行う。その後、単純マトリクス駆動方法で、比較的低い電圧の短いパルス幅の書込みパルスを印加して、プレーナ状態またはフォーカルコニック状態から、画素ごとに状態を変化させる書込み動作を行う。ここでは、リセット動作で全画素をプレーナ状態にした後、書込み動作で、プレーナ状態を維持するか、フォーカルコニック状態またはプレーナ状態とフォーカルコニック状態の混在した状態に変化させる場合を例として説明する。
【００２２】
図２は、コンベンショナル駆動方法において、液晶セル（画素）に印加される電圧波形の例、および図示の電圧波形を印加した場合の反射率の応答特性の例を示す図である。図２の（Ａ）は、リセット動作において印加するリセット電圧波形（パルス）を示しており、図３２（Ｂ）は、リセットパルスの印加に対する応答を示している。図２の（Ｃ）は、書込み動作において印加する書込み電圧波形（パルス）の一例を示しており、図２の（Ｄ）は、初期状態がプレーナ状態の場合の図２の（Ｃ）の書込みパルスの印加に対する応答を示している。また、図２の（Ｅ）は、図２の（Ｃ）より狭いパルス幅の書込みパルスを示しており、図２の（Ｆ）は、初期状態がプレーナ状態の場合の図２の（Ｅ）の書込みパルスの印加に対する応答を示している。言い換えれば、図２の（Ｄ）および（Ｆ）は、図２の（Ｂ）のＰで示す左側の傾斜部における変化を示している。
【００２３】
コレステリック液晶の駆動波形は、一般の液晶と同様に、液晶材料の劣化（分極）を抑制するために交流とする必要がある。このため、液晶ドライバＩＣ（一般にコレステリック液晶専用ＩＣ、またはＳＴＮ液晶用ＩＣが用いられる）は液晶セルに印加される電界の極性を反転させる機能を有しており、液晶駆動用の高圧電源は＋数十Ｖの単一電源が使用できる。
【００２４】
まず、図２の（Ａ）に示すような正負のパルスを合わせたパルス幅が６０ｍｓと広いパルスを印加する場合で、パルス電圧を０Ｖから徐々に上げていった場合の状態変化について述べる。初期状態がプレーナ状態の場合、状態は図２の（Ｂ）においてＰで示す線に沿って変化する。パルス電圧がある電圧を超えると徐々にフォーカルコニック状態に遷移し、反射率は急激に低下する。反射率が最小値に達すると、パルス電圧がある電圧を超えない限り反射率はほとんど変化しない。パルス電圧がある電圧を超えると徐々にプレーナ状態に遷移し、反射率は急激に上昇する。反射率が最大値に達すると，パルス電圧を上げても反射率は変化しない。このような電圧−反射率特性は、一般に「ＶＲ特性」と呼ばれる。初期状態がフォーカルコニック状態の場合、状態は図２の（Ｂ）においてＦＣで示す線に沿って変化する。パルス電圧がある電圧を超えない限り反射率は変化しない。パルス電圧がある電圧を超えると徐々にプレーナ状態に遷移し、反射率は急激に上昇する。反射率が最大値に達すると、パルス電圧を上げても反射率は変化しない。そして、初期状態がプレーナ状態であってもフォーカルコニック状態であっても、ある電圧以上の電圧を印加すると、必ず反射率が最大値のプレーナ状態になる。図２の（Ｂ）では、パルス幅６０ｍｓで電圧が±３６Ｖのパルスの場合、必ずプレーナ状態になるので、このパルスをリセットパルスとして使用することができる。
【００２５】
これよりもパルス幅が狭いパルスを印加する場合、応答性はシフトする。たとえば、図２の（Ｃ）に示すパルス幅が２ｍｓで、パルス電圧が±２４Ｖと±１２Ｖのパルスを印加する場合、初期状態がプレーナ状態であれば、状態は図２の（Ｄ）においてＬで示す線に沿って変化する。図２の（Ｄ）においては、±１２Ｖのパルスでは反射率は変化せず、プレーナ状態が維持される。±２４Ｖのパルスでは反射率が少し低下した中間調となる。また、初期状態がプレーナ状態とフォーカルコニック状態が混在した反射率が中間値の場合は、状態は図２の（Ｄ）においてＭで示す線に沿って変化する。この場合も、±１２Ｖのパルスでは反射率は変化せず、±２４Ｖのパルスでは反射率が少し低下する。
【００２６】
さらに、図２の（Ｅ）に示すパルス幅が１ｍｓで、パルス電圧が±２４Ｖと±１２Ｖのパルスを印加する場合、初期状態がプレーナ状態であれば、状態は図２の（Ｆ）においてＮで示す線に沿って変化する。図２の（Ｆ）においては、±１２Ｖのパルスでは反射率は変化せず、プレーナ状態が維持される。±２４Ｖのパルスでは反射率が少し低下した中間調となるが、反射率の低下量は、２ｍｓのパルス幅の場合より小さい。すなわち、２ｍｓの方が１ｍｓより暗い階調となる。初期状態がプレーナ状態とフォーカルコニック状態が混在した反射率が中間値の場合は、状態は図２の（Ｆ）においてＯで示す線に沿って変化する。この場合も、±１２Ｖのパルスでは反射率は変化せず、±２４Ｖのパルスでは反射率が少し低下する。
【００２７】
以上のように、初期状態がプレーナ状態の場合、比較的小さな電圧の短いパルスを印加すると、反射率が低下し、反射率の低下量は、パルス電圧およびパルス幅に応じて変化することが分かる。具体的には、パルス電圧が高いほど、パルス幅が大きいほど、反射率の低下量は大きくなる。また、図２の（Ｄ）および（Ｆ）のＭおよびＯで示す変化から、パルスを分けて印加しても同様の変化が起き、反射率の低下量はパルス幅の合計、すなわち累積パルス印加時間に関係する。
【００２８】
以上の説明は、初期状態がプレーナ状態の場合で、図２の（Ｂ）において、Ｐで示す左側の傾斜部分を利用した例であるが、初期状態がフォーカルコニック状態の場合で、図２の（Ｂ）において、ＦＣで示す右側の傾斜部分を利用する場合も同様である。
【００２９】
さらに、コンベンショナル駆動方法においても、各種の駆動方法が提案されているが、ここでは詳細な説明は省略する。
【００３０】
以上説明したように、各種の駆動方法があるが、それぞれ長所・短所があり、用途に応じて適宜選択されるべきものである。以下に説明する実施形態のコレステリック液晶を利用した表示素子は、上記のいずれの駆動方法も適用可能である。
【００３１】
図３は、３層のコレステリック液晶層を積層した反射型カラー表示素子の概略断面図である。
【００３２】
図３に示すように、表示素子１０は、見る側から順番に、青（ブルー）用パネル１０Ｂ、緑（グリーン）用パネル１０Ｇ、および赤（レッド）用パネル１０Ｒの３枚のパネルが積層されており、レッド用パネル１０Ｒの下側には光吸収層１７が設けられている。パネル１０Ｂ、１０Ｇおよび１０Ｒは、同じ構成を有するが、パネル１０Ｂは反射の中心波長が青色、パネル１０Ｇは反射の中心波長が緑色、パネル１０Ｒは反射の中心波長が赤色になるように、液晶材料およびカイラル材が選択され、カイラル材の含有率が決定されている。積層された３枚のパネルには、それぞれ画素が形成され、反射型カラー表示素子の画素は、積層された３枚のパネルの画素を含む。各パネルの画素は、それぞれ所定の反射色を呈するので、ここでは各パネルの画素を色相要素と称し、３枚のパネルの色相要素を第１色相要素、第２色相要素および第３色相要素と称する場合がある。各色相要素が呈する反射スペクトルの中心波長は、第１色相要素＜第２色相要素＜第３色相要素の順であるとする。したがって、図３の例では、第１色相要素がパネル１０Ｂの画素に、第２色相要素がパネル１０Ｇの画素に、第３色相要素がパネル１０Ｒの画素に、それぞれ対応する。
【００３３】
図４は、図３の反射型カラー表示素子で使用されている各層の、プレーナ状態における分光反射特性の代表例を示す図である。図４において、Ｂ、ＧおよびＲが、青色層１０Ｂ、緑色層１０Ｇおよび赤色層１０Ｒの反射スペクトルを示す。図４において、各層の分光反射特性はそれぞれ正規分布に近い特性を有しており、青色層１０Ｂは反射中心波長が約４８０ｎｍであり、緑色層１０Ｇは反射中心波長が約５５０ｎｍであり、赤色層１０Ｒは反射中心波長が約６３０ｎｍである。
【００３４】
上記のように、これまでの代表例のコレステリック液晶素子の反射スペクトルは、少しでも明るさを上げるため、標準ＲＧＢに比べて、緑色(Green:G)層の反射中心波長は、視感度がピークを示す５５５ｎｍ（黄緑）付近に配していた。また、青色(Blue:B)層および赤色(Red:R)層の反射中心波長は、緑色層の波長に近づけて、グレーバランスを保っていた。そのため、ある程の明るさが得られる一方で、３色が緑色に偏っているため、色再現範囲が狭かった。
【００３５】
また、通常、液晶組成物には同一の原材料（ネマティック液晶やカイラル材）を用いるため、λ＝ｎ・ｐ（ｎ：液晶の平均屈折率、ｐ：らせんピッチ）の関係から、半値幅（△λ）は、△λ=△ｎ・ｐとなり、赤色＞緑色＞青色の大小関係が一般的だった。しかしながら、この半値幅がこのような関係を有する場合、青色の彩度が高すぎ、一方で赤色の彩度が低くなりすぎる傾向があり、ＲＧＢのカラーバランスを好適に保てなかった。
【００３６】
上記の例のほかに、ＲＧＢの３層のうち赤色層における分光反射特性の半値幅を狭くすることにより、赤色の彩度を向上させることが提案されている。このような特性は、コレステリック液晶のホストとなるネマティック液晶の屈折率異方性（△ｎ）を、ＲＧＢの３層のうち赤色層において最小にするか、あるいは添加するカイラル剤の螺旋ねじれ力を、赤色層において最小にすることにより実現される。
【００３７】
しかし、赤色層における分光反射特性の半値幅△λを、緑色層および青色層の半値幅よりも小さくするだけでは、色再現範囲を十分に向上させることができないことが分かった。
【００３８】
他に、コレステリック液晶を利用する反射型カラー表示素子ではなく、バックライトを利用する透過型液晶表示素子では、カラーフィルタの特性を、バックライトの分光特性、例えばＬＥＤの発光特性に応じた特性にすることが提案されている。しかし、これらの特性は、コレステリック液晶を利用する反射型カラー表示素子には適用できない。
【００３９】
以上のように、ほかに類のない正規分布に近似した反射特性を有するコレステリック液晶層を利用する反射型カラー液晶表示素子で、最大の色再現範囲を実現することについては、これまで検討されていなかった。以下に説明するコレステリック液晶層を利用する反射型カラー表示素子によれば、色再現範囲が拡大され、カラー表示の鮮やかさなどの色表示の品質が向上する。
【００４０】
実施形態を説明する前に、説明で使用する色の名称と波長スペクトルとの関係を説明する。
【００４１】
図５は、波長スペクトルと色名の関係を示す図であり、色は日本名および対応する英語名を示し、表示する記号も合わせて示す。波長スペクトルが３８０〜４３０ｎｍの色名は「青みの紫(bluish Purple)」である。波長スペクトルが４３０〜４６７ｎｍの色名は「紫みの青(purplish Blue)」である。波長スペクトルが４６７〜４８３ｎｍの色名は「青(Blue)」である。波長スペクトルが４８３〜４８８ｎｍの色名は「緑みの青(greenish Blue)」である。波長スペクトルが４８８〜４９３ｎｍの色名は「青緑(Blue Green)」である。波長スペクトルが４９３〜４９８ｎｍの色名は「青みの緑(bluish Green)」である。波長スペクトルが４９８〜５３０ｎｍの色名は「緑(Green)」である。波長スペクトルが４９８〜５３０ｎｍの色名は「緑(Green)」である。波長スペクトルが５３０〜５５８ｎｍの色名は「黄みの緑(yellowish Green)」である。波長スペクトルが５５８〜５６９ｎｍの色名は「黄緑(Yellow Green)」である。波長スペクトルが５６９〜５７３ｎｍの色名は「緑みの黄(greenish Yellow)」である。波長スペクトルが５７３〜５７８ｎｍの色名は「黄(Yellow)」である。波長スペクトルが５７８〜５８６ｎｍの色名は「黄みの黄赤(yellowish Orange)」である。波長スペクトルが５８６〜５９７ｎｍの色名は「黄赤(Orange)」である。波長スペクトルが５９７〜６４０ｎｍの色名は「赤みの黄赤(reddish Orange)」である。波長スペクトルが６４０〜７８０ｎｍの色名は「赤(Red)」である。また、後述する図１２に示すように、ピンク(Pink)、黄赤ピンク(Orange Pink)などの色名も使用される。
【００４２】
また、「色体積」は、色再現範囲の指標として最も適切と考えられるので、色再現範囲の大きさは色体積で表すものとする。また、ディスプレイの標準規格として、ＩＥＣ（International Electrotechnical Commission）等で規格化されている標準ＲＧＢ(standard RGB:sRGB）を基準にして、説明を行う。
【００４３】
まず、各液晶層の反射中心波長（以下、主波長と称する）について述べる。主波長は、各液晶層の反射色の色相に関係する。
【００４４】
コレステリック液晶を利用した通常の反射型カラー表示素子では、青色層の反射色をｓＲＧＢのＢとほぼ同等、緑色層の反射色をｓＲＧＢのＧと同等か長波長側にシフトした色とし、赤色層の反射色をｓＲＧＢのＲとほぼ同等、としていた。しかし、コレステリック液晶のような広域スペクトルの場合、青色層および緑色層の反射色をｓＲＧＢよりも短波長化することが、明るさ・彩度のバランスの点から望ましい。なお、赤色層の反射色はｓＲＧＢのＲとほぼ同等でよい。各液晶層の反射色をこのように設定することで、濃紺〜深緑といった記憶色に近い領域を再現可能とし、全体的な色再現範囲を極大化できる。
【００４５】
次に、各液晶層の反射スペクトルの半値幅（△λ）について述べる。
【００４６】
ｓＲＧＢは、隣接する色のスペクトルが重複しない狭域スペクトルが理想形とされている。反射型のカラー表示素子であれば、青色層と緑色層の反射スペクトルが重複せず、緑色層と赤色層の反射スペクトルが重複しないことが望ましい。しかし、コレステリック液晶層は干渉反射により反射色を呈し、液晶層の反射スペクトルは、隣接色と部分的に重複する広さを有するため、コレステリック液晶の条件は、ｓＲＧＢと異なる。
【００４７】
前述のように、コレステリック液晶組成物には同一の原材料（ネマティック液晶やカイラル材）を用いるため、λ＝ｎ・ｐの関係から、各層の半値幅△λは、赤色＞緑色＞青色の大小関係が一般的であった。言い換えれば青色層の半値幅が最小であった。また、前述のように、赤色層の半値幅を最小にすることも提案されている。
【００４８】
これに対して、実施形態では、緑色層の反射スペクトルの半値幅を最小にし、各層の半値幅△λは、赤色＞青色≧緑色する。このように、これまでは、緑色層の半値幅は、青色層と赤色層の中間的な半値幅であったのに対して、実施形態では、３色の層の中で緑色層の半値幅を最小にする。これにより、更に深い緑色の再現が可能となる。
【００４９】
図６は、実施形態において、青色層および緑色層の反射色をｓＲＧＢよりも短波長化すると共に、緑色層の反射スペクトルの半値幅を最小にした効果を、マックアダム(McAdam)の識別域（楕円）で説明する図である。マックアダム(McAdam)の識別域（楕円）は、同じ明るさを有する二つの色刺激の、色度を見分け得る最小の差（識別域）であり、図６は、ｘｙ色度図上において識別域（楕円）を示している。
【００５０】
図６において、Ｘで示す三角形は、３層の反射スペクトルが図４に示した特性を有する場合の色再現範囲を示し、Ｙで示す三角形の範囲は、ｓＲＧＢの場合の色再現範囲を示す。短波長化は、図６において、Ｂ’、Ｇ’およびＲ’を、白（三角形のほぼ中心位置）に対して反時計回りに回転することに相当し、長波長化は、逆に時計回りに回転することに相当する。
【００５１】
Ｂ’を短波長化すると、識別できる色差が大きくなり、さらに半値幅を狭める狭帯域化すると、表示する色の色純度を向上できる。Ｇ’を短波長化すると共に狭帯域化すると、識別できる色差が大きくなり、表示する色の色純度を向上できる。Ｒ’は、短波長化するとＲから離れてオレンジ色になり、ｓＲＧＢのＲより長波長化すると茶色になるので、ｓＲＧＢのＲと同等が望ましい。
【００５２】
より詳しく説明すると、青色（Ｂ）層は、反射スペクトルが広いコレステリック液晶の場合、ｓＲＧＢと同等の主波長であると、不純色成分（例えばシアン）が残存する。そのため、図６において、Ｂ’からＢに、主波長を短波長側にシフトさせ、含まれていたシアン成分を減少させた。この時、短波長側にシフトすると、青色（Ｂ）の彩度が向上する一方で、明度が低下する。この明度の低下を補正するため、実施形態では、半値幅を後述の緑色（Ｇ）よりも相対的に広く、赤色（Ｒ）よりも相対的に狭くする。このようにすることで、明度の低下を最小限に抑えつつ、濃紺領域の色相が再現可能となり、この相対関係が、色体積の極大化を可能にする。言い換えれば、青色（Ｂ）は、主波長がｓＲＧＢよりも短波長で、かつ半値幅は緑色（Ｇ）よりも相対的に広く、赤色（Ｒ）よりも相対的に狭いことが，色再現範囲を最大化させる上で望ましい。具体的には、青色（Ｂ）層の反射スペクトルは、主波長が４３０ｎｍ〜４６０ｎｍの範囲で、半値幅が７５ｎｍ〜１１５ｎｍの範囲であることが望ましい。
【００５３】
緑色（Ｇ）層は、反射スペクトルが広いコレステリック液晶の場合、主波長が５５０ｎｍ付近であると、黄色（Ｙ）成分を多く含み、緑色の彩度は最も低く、深緑などの重要色が再現不能であった。緑色（Ｇ）の彩度を高くするために、まず主波長を短波長化して、黄色（Ｙ）成分を低減した。この短波長化は，図６の楕円からも窺えるように、楕円の短軸側にシフトするので、視覚的に色味を劇的に改善でき、彩度が大きく向上することができる。
【００５４】
緑色（Ｇ）層の反射スペクトルの半値幅は、青色層とは異なり、従来よりも狭くすることが望ましい。緑色（Ｇ）層の反射スペクトルの半値幅を多少狭めて、明るさを多少犠牲にしてでも、彩度を優先した向上させたほうが、色体積の極大化に寄与する。つまり、半値幅を狭めて、彩度をより一層高めることが望ましい。
【００５５】
以上のことをまとめると、緑色（Ｇ）層の反射スペクトルは、主波長がｓＲＧＢよりも短波長で、かつ半値幅は青色（Ｂ）層および赤色（Ｒ）層よりも相対的に狭いことが、色再現範囲を最大化させる上で望ましい。具体的には、緑色（Ｇ）層の反射スペクトルは、主波長が５１０ｎｍ〜５４０ｎｍの範囲で、半値幅が７５ｎｍ〜１１５ｎｍの範囲であることが望ましい。
【００５６】
赤色（Ｒ）層の反射スペクトルの主波長は、ｓＲＧＢと同等であることが望ましい。これよりも短波長化するとオレンジ〜黄色のような不純色成分が増え、長波長化するために明度が下がって茶色っぽくなるため、ｓＲＧＢと同等が望ましい。
【００５７】
赤色（Ｒ）層の反射スペクトルの半値幅は、一般的な例と同様に、ＲＧＢの中では最も広くすることが好ましい。もし、赤色（Ｒ）液晶層の△ｎを下げることで半値幅を狭くした場合には、色体積の極大点から外れ、色体積が減少する。
【００５８】
以上のことをまとめると、赤色（Ｒ）層の反射スペクトルは、主波長がｓＲＧＢと概ね同等で、かつ半値幅は青色（Ｂ）層および緑色（Ｇ）層の反射スペクトルの半値幅よりも相対的に広くすることが、表示素子の色再現範囲を最大化させる上での望ましい。具体的には、赤色（Ｒ）層の反射スペクトルは、主波長が６００ｎｍ〜６３０ｎｍの範囲で、半値幅が９５ｎｍ〜１３５ｎｍの範囲であることが望ましい。
【００５９】
なお、ＲＧＢの３層の反射スペクトルの半値幅の相対関係は、ＲＧＢのうち最も小さいものに対して、それより大きいものは１．５〜１．９倍の範囲であることが望ましい。
【００６０】
主波長および半値幅の要件は以上の通りであるが、これを液晶材料の屈折率異方性（△ｎ）に換算すると、青色（Ｂ）層の△ｎを３層の中で最大とし、緑色（Ｇ）層と赤色（Ｒ）層の△ｎをほぼ等しくすることが望ましい。言い換えれば、次のような関係を有することが望ましい。
【００６１】
青色（Ｂ）層の△ｎ＞緑色（Ｇ）層の△ｎ≒赤色（Ｒ）層の△ｎ
ちなみに、これまでの一般的な例では、次のような関係であった。
【００６２】
青色（Ｂ）層の△ｎ＝緑色（Ｇ）層の△ｎ＝赤色（Ｒ）層の△ｎ
具体的には、３層の△ｎは０．１８〜０．２５の範囲で、緑色（Ｇ）層と赤色（Ｒ）層の△ｎはそれぞれ他方の±１０％以内の範囲であり、青色（Ｂ）層の△ｎは緑色（Ｇ）層または赤色（Ｒ）層の△ｎの１１０〜１３０％であることが望ましい。
【００６３】
さらに、各層の反射スペクトルのピーク値は、ＲＧＢの３層間で極端に異なるよりも、ＲＧＢの３層のうち最も低いものに対して、それより高いものは１．０〜１．５倍の範囲にあることが望ましく、色再現範囲を保持する上で重要である。
【００６４】
さらに、観察面側から青色（Ｂ）層、緑色（Ｇ）層、赤色（Ｒ）層の順に積層する場合、青色（Ｂ）層と緑色（Ｇ）層の間に青色カットフィルタを、緑色（Ｇ）層と赤色（Ｒ）層の間に緑色カットフィルタを設けると、より一層の彩度向上が図れる。青色カットフィルタと緑色カットフィルタは、一方のみを設けても効果がある。
【００６５】
ここで、コレステリック液晶を利用したこれまでの代表的例の反射型カラー表示素子と実施形態の反射型カラー表示素子の色再現範囲を、色体積を使用して比較する。この比較は、観察面側から青色（Ｂ）層、緑色（Ｇ）層、赤色（Ｒ）層の順に積層した反射型カラー表示素子で行った。この反射型カラー表示素子は、緑色（Ｇ）層と赤色（Ｒ）層の間に緑色カットフィルタを設けて、赤色の彩度をより強調している。測定は、屋外相当の照度下で行った。
【００６６】
図７は、コレステリック液晶を利用した代表例の反射型カラー表示素子の反射スペクトルを示す図である。また、図８は、コレステリック液晶を利用した代表例の反射型カラー表示素子のＣＩＥＬＡＢ色空間での色体積を示す図である。色体積は、表示において色再現できる範囲を示す。
【００６７】
図９は、コレステリック液晶を利用した実施形態の反射型カラー表示素子の反射スペクトルを示す図である。また、図１０は、コレステリック液晶を利用した実施形態の反射型カラー表示素子のＣＩＥＬＡＢ色空間での色体積を示す図である。
【００６８】
図７に示すように、明るさを最優先とした代表例の反射型カラー表示素子の反射スペクトルの構成では、色体積は２０１１６（相対値）であった。また、図８に示すように、代表例の色再現範囲では、濃紺〜深緑、紫色などの再現能力が低いことが分かる。
【００６９】
これに対して、図９に示すように、実施形態の反射型カラー表示素子の反射スペクトルの構成では、色体積は３０１１８（相対値）であり、色体積は図７の反射スペクトルの場合に比べて約１．５倍に増加する。また、図１０に示すように、実施形態の反射型カラー表示素子の色再現範囲では、濃紺〜深緑，紫色などの再現能力が向上し、代表色とされるマクベスチャートをカバーする色数も増加し、赤〜マゼンタの彩度も増している。
【００７０】
図１１は、表示素子における積層順、カットフィルタの有/無、および観察する環境条件が屋外であるか室内であるかのパラメータを変化させた時の、色体積が極大となる各層の主波長および半値幅の最適値を求めた結果を示す。明るさは、３０がこれまでの表示素子のレベルであり、６０が新聞に匹敵するレベルである。第１、第２および第３要素は、主波長が短い側から順に並べた３つの層に対応し、具体的には、第１要素は青色（Ｂ）層に、第２要素は緑色（Ｇ）層に、第３要素は赤色（Ｒ）層に、それぞれ対応する。
【００７１】
色体積が極大となる条件は、これらのパラメータに依存せず、表示素子の各層の主波長および半値幅のロバスト性が高く安定していることが分かる。このように表示素子の各層の主波長および半値幅のロバスト性が高いので、これらの要件は、積層構造のみならず、ＲＧＢ画素の並置構造の場合も有効であると考えられる。
【００７２】
図１２は、ＣＩＥＸＹＺ表色系におけるｘｙ色度図上でのこれまでの代表例の表示素子と実施形態の表示素子の色再現範囲の比較を示す図である。図１２において、Ｘはこれまでの代表例の表示素子の色再現範囲を、ＹはｓＲＧＢを、Ｚは実施形態の表示素子の色再現範囲を示す。図１２は、図５の色名称に対応する範囲も合わせて示している。
【００７３】
実施形態の表示素子の色再現範囲の方が、これまでの代表例の表示素子の色再現範囲よりも、ｘｙ色度図上の三角形の面積が大きく、色再現範囲が拡大している。
【００７４】
図１２から、青色（Ｂ）層は紫みの青(Purplish Blue)、緑色（Ｇ）層は緑(Green)もしくは黄緑(Yellowish Green)、赤色（Ｒ）層は黄赤ピンク(Orange Pink)もしくは赤みの黄赤(Reddish Orange)の色領域内に配することが望ましい。
【００７５】
以上、実施形態の３つの液晶層の色特性について説明した。次に、上記で説明した色特性を実現するコレステリック液晶を利用した実施形態の反射型カラー表示素子を説明する。
【００７６】
図１３は、コレステリック液晶を利用した実施形態の単純マトリクス型の反射型カラー表示素子１０の構成を示す図である。図１３に示すように、表示素子１０は、見る側から順番に、青色（Ｂ）パネル１０Ｂ、緑色（Ｇ）１０Ｇ、および赤色（Ｒ）パネル１０Ｒの３枚のパネルが積層されており、赤色パネル１０Ｒの下側には光吸収層１７が設けられている。また、青色パネル１０Ｂと緑色１０Ｇの間にはブルーカットフィルタ層１８が、緑色パネル１０Ｇと赤色１０Ｒの間にはグリーンカットフィルタ層１９が、それぞれ形成されている。ブルーカットフィルタ層１８は青色を吸収し、グリーンカットフィルタ層１９は緑色を吸収する。
【００７７】
パネル１０Ｂは反射の中心波長が青色付近、パネル１０Ｇは反射の中心波長が緑色付近、パネル１０Ｒは反射の中心波長が赤色付近になるように、液晶材料およびカイラル材が選択され、カイラル材の含有率が決定されている。パネル１０Ｂ、１０Ｇおよび１０Ｒのコモン電極およびセグメント電極は、スキャンドライバ２８およびセグメントドライバ２９により駆動される。
【００７８】
パネル１０Ｂ、１０Ｇおよび１０Ｒは、反射の中心波長が異なる以外同じ構成を有する。以下、パネル１０Ｂ、１０Ｇおよび１０Ｒの代表例を、パネル１０Ａとして表し、その構成を説明する。
【００７９】
図１４は、１枚のパネル１０Ａの基本構成を示す図である。
【００８０】
図１４に示すように、表示素子１０Ａは、上側基板１１と、上側基板１１の表面に設けられた上側電極層１４と、下側基板１３の表面に設けられた下側電極層１５と、シール材１６と、を有する。上側基板１１と下側基板１３は、電極が対向するように配置され、間にコレステリック液晶材料を封入した後シール材１６で封止される。なお、液晶層１２内にスペーサが配置され、上側電極層１４と下側電極層１５の一方に複数のコモン電極が、他方に複数のセグメント電極が形成されるが、図示は省略している。複数のコモン電極および複数のセグメント電極は、互いに平行な帯状の透明電極であり、観察面から見た時に直交するように配置される。複数のコモン電極および複数のセグメント電極には、コモンドライバおよびセグメントドライバから電圧パルス信号が印加され、それにより液晶層に電圧が印加される。液晶層に電圧を印加して、液晶層の液晶分子をプレーナ状態またはフォーカルコニック状態にして表示を行う。
【００８１】
上側基板１１および下側基板１３は、いずれも透光性を有しているが、積層の最下層のパネルの下側基板は、非透光性でもよい。透光性を有する基板としては、ガラス基板、ＰＥＴまたはＰＣフィルム基板を使用することができる。
【００８２】
上側電極および下側電極は、例えば、ＩＴＯ（インジウム錫酸化物：Indium  Tin  Oxide）の透明導電膜が代表的であるが、その他ＩＺＯ（インジウム亜鉛酸化物：Indium  Zic  Oxide）等の透明導電膜などを用いることができる。
【００８３】
電極上には絶縁性のある薄膜が形成される。この絶縁性薄膜が厚いと、駆動電圧が上昇し、汎用ＳＴＮドライバが使用できなくなる。逆に、絶縁性薄膜がないとリーク電流が流れてしまうため、消費電力が増大する。絶縁性薄膜は、比誘電率が５前後であり、液晶よりもかなり低いため、厚みは概ね０．３μｍ以下が望ましい。
【００８４】
上側基板１１および下側基板１３の間には、基板間ギャップを均一に保持するためのスペーサが挿入される。一般に、上下基板を貼り合わせる前に、樹脂製又は無機酸化物製の球体状のスペーサを均一に散布する。また、表面に熱可塑性の樹脂がコーティングしてある固着スペーサを設けてもよい。スペーサによって形成されるセルギャップは、３μｍ〜６μｍの範囲であることが望ましい。セルギャップがこれより小さいと、反射率が低下して暗い表示になり、高い閾値急峻性も期待できない。一方、セルギャップがこれより大きいと、高い閾値急峻性は保持できるが、駆動電圧が上昇して汎用部品による駆動が困難になる。
【００８５】
液晶層に充填する液晶組成物は、ネマティック液晶混合物にカイラル材を１０〜４０ｗｔ％添加したコレステリック液晶である。ここで，カイラル材の添加量はネマティック液晶成分とカイラル材の合計量を１００ｗｔ％としたときの値である。ネマティック液晶としては従来から公知の各種のものを用いることができるが、誘電率異方性（Δε）が１５〜２５の範囲が適正範囲である。誘電率異方性が１５以下であれば、駆動電圧が全体的に高くなり、駆動回路に汎用部品の適用が困難になる。一方、誘電率異方性が２５以上となると、プレーナ状態からフォーカルコニック状態に変化する印加電圧の領域が小さくなり、閾値急峻性としては下がると考えられる。更には、液晶材料自体の信頼性にも懸念が出てくる。
【００８６】
屈折率異方性（△ｎ）は、０．１８〜０．２５くらいが望ましい。この範囲より小さいと、プレーナ状態の反射率が低くなり、この範囲より大きいと、フォーカルコニック状態での散乱反射が大きくなる他、粘度も高くなり、応答速度が低下する。
【００８７】
図１５は、液晶層に充填される液晶組成物中のカイラル材の添加量と液晶層の反射中心波長の関係を示す図である。図１５に示すように、反射中心波長は、カイラル材の添加量が増加するにしたがって、線形に低下することが分かる。
【００８８】
また、図１６は、屈折率異方性（△ｎ）と反射スペクトルの半値幅の関係を示す図である。半値幅は、△ｎが増加するにしたがって、線形に増加することが分かる。△ｎは、ネマティック液晶混合物やカイラル材の種類およびその混合比で制御可能である。
【００８９】
前述のように、青色（Ｂ）層１０Ｂでは、主波長が４３０〜４６０ｎｍの範囲で、半値幅が７５〜１１５ｎｍの範囲であることが望ましい。緑色（Ｇ）層１０Ｇでは、主波長が５１０〜５４０ｎｍの範囲で、半値幅が７５〜１１５ｎｍの範囲であることが望ましい。赤色（Ｒ）層１０Ｒでは、主波長が６００〜６３０ｎｍの範囲で、半値幅が９５〜１３５ｎｍの範囲であることが望ましい。さらに、３層の△ｎは０．１８〜０．２５の範囲で、緑色（Ｇ）層１０Ｇと赤色（Ｒ）層１０Ｒの△ｎはそれぞれ他方の±１０％以内の範囲であり、青色（Ｂ）層の△ｎは緑色（Ｇ）層または赤色（Ｒ）層の△ｎの１１０〜１３０％であることが望ましい。
【００９０】
ネマティック液晶混合物やカイラル材の種類、カイラル材の添加量（混合比）などを適宜選択して、上記のような各液晶層の特性を実現することができる。
【００９１】
上記の実施形態では、３枚のパネル１０Ｂ、１０Ｇおよび１０Ｒを積層した３層構造の表示素子の例を示したが、前述のように、表示素子の各層の主波長および半値幅のロバスト性が高いので、ＲＧＢ画素の並置構造にも適用可能である。
【００９２】
図１７は、ＲＧＢ画素の並置構造を有する表示素子の構成を示す図であり（Ａ）が上面図、（Ｂ）が断面図である。この表示素子は、２枚の基板１１および１３の間に設けられた隔壁４３を有する。隔壁４３は、２枚の基板１１と１３の間の空間を、複数の帯状の領域に区切る。複数の帯状の領域は、青色液晶層１２Ｂ、緑色液晶層１２Ｇおよび赤色液晶層１２Ｒの３つのグループに分けられ、３つのグループの領域が交互に配置される。青色液晶層１２Ｂには、主波長が４３０〜４６０ｎｍの範囲で、半値幅が７５〜１１５ｎｍの範囲である反射スペクトルを呈するコレステリック液晶が充填される。緑色液晶層１２Ｇには、主波長が５１０〜５４０ｎｍの範囲で、半値幅が７５〜１１５ｎｍの範囲である反射スペクトルを呈するコレステリック液晶が充填される。赤色液晶層１２Ｒには、主波長が６００〜６３０ｎｍの範囲で、半値幅が９５〜１３５ｎｍの範囲である反射スペクトルを呈するコレステリック液晶が充填される。
【００９３】
コモン電極４１は、横方向伸びる。セグメント電極４２は、縦方向に伸び、各帯状領域に重なるように設けられる。コモン電極４１とセグメント電極４２の交差部分に画素が形成される。図１７に示した表示素子では、隣接する３つの青色液晶層１２Ｂ、緑色液晶層１２Ｇおよび赤色液晶層１２Ｒの部分の３画素が、１つの表示画素を形成し、１枚でカラー表示が可能であるが、明るさは、３層構造の場合の約１／３に減少する。
【００９４】
なお、２つの帯状領域グループを有するパネルを２枚積層し、４つの帯状領域グループグループが少なくともＲＧＢの３種類の液晶層を有するようにした２層構造の反射型カラー表示装置も実現可能である。このような２層構造の反射型カラー表示装置の３種類の液晶層が、上記のような反射スペクトル特性を有するようにしてもよい。
【００９５】
図１８は、上記のコレステリック液晶を利用した実施形態の単純マトリクス型の反射型カラー表示素子１０を用いた表示装置の概略構成を示すブロック図である。
【００９６】
この表示装置は、表示素子１０と、電源２１と、昇圧部２２と、電圧生成部２３と、電圧安定部２４と、原振クロック部２５と、分周部２６と、コモンドライバ２７と、セグメントドライバ２８と、駆動制御回路２９と、を有する。
【００９７】
表示素子１０は、コレステリック液晶を利用した実施形態の単純マトリクス型の反射型カラー液晶表示素子である。
【００９８】
表示素子１０の画素数はＣＧＡ（横１０２４画素、縦７６８画素）とする。表示素子１０の駆動方法は、前述のコンベンショナル駆動方法であるが、ダイナミック駆動方法を適用することも可能である。
【００９９】
電源２１は、外部から供給される電源を受ける部分または電池などで形成され、３〜５Ｖの直流電源を出力する。昇圧部２２は、ＤＣ−ＤＣコンバータなどを有し、３〜５Ｖの電圧を液晶の駆動電圧として必要とする約４０Ｖに昇圧する。この昇圧レギュレータは、表示素子１０の負荷特性、すなわち周期一定でのコンデンサの充放電に対して変換効率の高いものが好ましい。
【０１００】
電圧生成部２３は、昇圧された電圧から、リセット動作時には３６Ｖを生成し、書込み動作時にはアナログ電圧値（０／１０／１７／２４Ｖ付近）を生成する。リセット電圧と階調書込み電圧のスイッチングには、高耐圧のアナログスイッチを用いるほか、単純なトランジスタによるスイッチング回路を適用してもよい。
【０１０１】
電圧安定部２４は、オペアンプのボルテージフォロア回路を有し、充放電時の電圧を安定化する。使用するオペアンプは、容量性負荷に強い品種が好ましい。
【０１０２】
原振クロック部２５は、動作の基本となる基本クロックを発生する。分周部２６は、基本クロックを分周して、後述する動作に必要な各種クロックを生成する。
【０１０３】
コモンドライバ２７は、出力端子が、表示素子１０の７６８本のコモン電極に接続される。セグメントドライバ２８は、出力端子が、表示素子１０の１０２４本のセグメント電極に接続される。コモン電極はＲＧＢの３枚のパネルで共通に選択されるため、コモンドライバ２７は、ＲＧＢの３枚のパネルで共通に使用される。これに対して、ＲＧＢの３枚のパネルのセグメント電極に印加される画像データは、３枚のパネルで異なるため、セグメントドライバ２８は、ＲＧＢの３枚のパネルのそれぞれに対して設けられる。コモンドライバ２７およびセグメントドライバ２８は、汎用の２値出力のＳＴＮドライバを用いて実現でき、ドライバＩＣの耐圧は４０Ｖ以上である必要がある。
【０１０４】
駆動制御回路２９は、外部から供給される画像データに基づいて表示素子１０での表示を書換えるために、各部を制御する信号を発生し、セグメントドライバ２８に駆動画像データを供給する。駆動制御回路２９は、フルカラーの元画像（ＲＧＢ各２５６階調の１６７７万色）を、誤差拡散法などのディザ処理によりＲＧＢ各１６階調の４０９６色に変換して、セグメントドライバ２８に出力する駆動画像データを生成する。この階調変換は、誤差拡散法のほか多くの手法が知られているが、組織的ディザやブルーノイズマスクが表示品位の面で望ましい。駆動制御回路２９は、マイクロコンピュータやＦＰＧＡなどにより実現される。
【０１０５】
表示を書換える場合には、最初に、±３６Ｖの電圧で、１５ｍｓのパルス幅のリセットパルスを８回全画素に印加し、プレーナ状態にするリセット動作を行う。
【０１０６】
次に、４０９６色に変換した画像データを、ＲＧＢの各セグメントドライバ２８に入力させる。例えば、累積応答を利用した書込み動作の場合、４０９６色（ＲＧＢ各１６階調）の画像データを、各中間調に対応した２値の画像データ（Ｈ１〜Ｈ７）に分割し、全画面に対して７回書込みを行う。階調レベルを変えたい画素には±２４Ｖの電圧を印加し、階調レベルを維持したい画素には±１０Ｖという液晶がほとんど応答しない電圧を印加する。このアプローチの拡張により、２６万色表示も可能である。
【０１０７】
コレステリック液晶を利用した反射型カラー表示装置の構成は、広く知られており、記載していない事項については、耕地の技術が提要可能であるので、これ以上の詳しい説明は省略する。
【０１０８】
実施形態によれば、コレステリック液晶をはじめとした反射型のカラー表示パネルにおいて、各液晶層の特性を上記のように設定することで、色再現範囲を極大化し、より鮮やかなカラー表示が可能になる。
【０１０９】
以上、実施形態を説明したが、各種の変形例が可能である。例えば、上記の例では、実施形態の表示素子をコンベンショナル駆動方法で駆動する表示装置を説明したが、実施形態の表示素子をダイナミック駆動方法を駆動することも可能である。
【０１１０】
また、実施形態では、コレステリック液晶表示素子を例として説明したが、反射型の表示素子であれば、コレステリック液晶以外の材料を利用するものでも、各層の反射スペクトルの特性は有効である。
【０１１１】
さらに、実施形態では、単純マトリクス型のコレステリック液晶表示素子を例として説明したが、反射型の表示素子であれば、ＴＦＴ型など他の駆動方式の表示素子でも、各層の反射スペクトルの特性は有効である。
【０１１２】
以上、実施形態を説明したが、ここに記載したすべての例や条件は、発明および技術に適用する発明の概念の理解を助ける目的で記載されたものであり、特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【０１１３】
以下、実施形態に関し、更に以下の付記を開示する。
（付記１）
マトリクス状に配置された複数の画素を備え、
各画素は、光反射状態を制御可能で、３つの異なる色相を呈する第１色相要素、第２色相要素および第３色相要素を備え、
前記第１色相要素、前記第２色相要素および前記第３色相要素の反射スペクトルは、一部が重なり、
前記第１色相要素、前記第２色相要素および前記第３色相要素は、
主反射波長が、第１色相要素＜第２色相要素＜第３色相要素の関係を有し、
反射スペクトルの半値幅が、第２色相要素≦第１色相要素＜第３色相要素の関係を有することを特徴とする反射型カラー表示素子。
（付記２）
前記第１色相要素が呈する主反射波長は、標準ＲＧＢの青色の主波長よりも短波長であり、
前記第２色相要素が呈する主反射波長は、標準ＲＧＢの緑色の主波長よりも短波長である付記１記載の反射型カラー表示素子。
（付記３）
前記第１色相要素が呈する色は、紫みの青色もしくは青みの紫色の色領域内にあり、
前記第２色相要素が呈する色は、緑色もしくは黄みの緑色の色領域内にある付記２記載の反射型カラー表示素子。
（付記４）
前記第３色相要素が呈する色は、赤色から黄赤色の範囲内にある付記２記載の反射型カラー表示素子。
（付記５）
積層した３枚のパネルを備え、
前記３枚のパネルは、前記第１色相要素、前記第２色相要素および前記第３色相要素をそれぞれ別々に有する付記１から４のいずれか記載の反射型カラー表示素子。
（付記６）
前記第１色相要素、前記第２色相要素および前記第３色相要素は、１枚のパネルに設けられている付記１から４のいずれか記載の反射型カラー表示素子。
（付記７）
積層した少なくとも２枚のパネルを備え、
前記少なくとも２枚のパネルのうちの１枚は、前記第１色相要素、前記第２色相要素および前記第３色相要素の少なくとも２つを備える付記１から４のいずれか記載の反射型カラー表示素子。
（付記８）
各画素は、コレステリック液晶を備える付記１から７のいずれか記載の反射型カラー表示素子。
（付記９）
前記第１色相要素の液晶の屈折率異方性は、前記第２および第３色相要素の液晶の屈折率異方性より大きい付記８記載の反射型カラー表示素子。
（付記１０）
前記画素を形成する液晶層は、セルギャップが３μｍ以上、液晶材料の△ｎは０．１８〜０．２５の範囲にあり、前記第２色相要素および前記第３色相要素の△ｎはそれぞれ他方の±１０％以内の範囲であり、前記第１色相要素の△ｎは、前記第２色相要素または前記第３色相要素の△ｎの１１０〜１３０％の範囲である付記８または９記載の反射型カラー表示素子。
（付記１１）
前記第１色相要素は、主反射波長が４３０〜４６０ｎｍの範囲で、半値幅が７５〜１１５ｎｍの範囲であり、
前記第２色相要素は、主反射波長が５１０〜５４０ｎｍの範囲で、半値幅が７５〜１１５ｎｍの範囲であり、
前記第３色相要素は、主反射波長が６００〜６３０ｎｍの範囲で、半値幅が９５〜１３５ｎｍの範囲である付記１から１０のいずれか記載の反射型カラー表示素子。
（付記１２）
前記第１色相要素、前記第２色相要素および前記第３色相要素の半値幅で、大きい方の２つは、もっとも小さい１つの１．０〜１．５倍の範囲である付記１１記載の反射型カラー表示素子。
（付記１３）
前記第１色相要素、前記第２色相要素および前記第３色相要素の反射率のピークで、大きい方の２つは、もっとも小さい１つの１．０〜１．５倍の範囲である付記１２記載の反射型カラー表示素子。
（付記１４）
前記３枚のパネルは、観察面側から、前記第１色相要素を有するパネル、前記第２色相要素を有するパネルおよび前記第３色相要素を有するパネルの順に積層され、
前記第１色相要素を有するパネルと前記第２色相要素を有するパネルの間に設けられた青カットフィルタと、
前記第２色相要素を有するパネルと前記第３色相要素を有するパネルの間に設けられた緑カットフィルタと、を備える付記１から１３のいずれか記載の反射型カラー表示素子。
（付記１５）
請求項１から１４のいずれか記載の反射型カラー表示素子を備えるカラー表示装置。
【符号の説明】
【０１１４】
１０    表示素子
１１    上側基板
１２    液晶層
１３    下側基板
１７    光吸収層
１８    ブルーカットフィルタ層
１９    グリーンカットフィルタ層
２７    コモンドライバ
２８    セグメントドライバ
２９    制御回路
【図１】
2012063528.tif 000003
【図２】
2012063528.tif 000004
【図３】
2012063528.tif 000005
【図４】
2012063528.tif 000006
【図５】
2012063528.tif 000007
【図６】
2012063528.tif 000008
【図７】
2012063528.tif 000009
【図８】
2012063528.tif 000010
【図９】
2012063528.tif 000011
【図１０】
2012063528.tif 000012
【図１１】
2012063528.tif 000013
【図１２】
2012063528.tif 000014
【図１３】
2012063528.tif 000015
【図１４】
2012063528.tif 000016
【図１５】
2012063528.tif 000017
【図１６】
2012063528.tif 000018
【図１７】
2012063528.tif 000019
【図１８】
2012063528.tif 000020